(57)【要約】【課題】  下側コップの内部空間に上側コップが嵌って積み重ねる場合に、側部の内周面及び外周面にキズが付かないコップの提供。【解決手段】  底部外周には内部空間３の上側外径が大きく成るように傾斜して起立する側部２を有し、該側部内周面４には内部空間３に嵌る上側コップＢの底部１が載る為の支えとなる凸片５，５・・を複数個所に等間隔で設けている。【選択図】    図１
0003183841.tif 000002
【実用新案登録請求の範囲】
【請求項１】
下側コップの内部空間に上側コップが嵌って積み重ねることが出来るコップにおいて、底部外周には内部空間の上側外径が大きく成るように傾斜して起立する側部を有し、該側部内周面には内部空間に嵌る上側コップの底部が載る為の支えとなる凸片を複数個所に等間隔で設けたことを特徴とするコップ。
【請求項２】
上記支えを側部内周面の全周に形成したリング状とした請求項１記載のコップ。
【考案の詳細な説明】
【技術分野】
【０００１】
本考案は上側のコップが下側のコップの内部空間に嵌って積み重ねることが出来るコップに関するものである。
【背景技術】
【０００２】
コップとは飲料水を飲む為に上部を開口した筒状の器であり、その具体的な形態は多種・多様で、材質はガラス又はプラスチック製と成っている。時には、ステンレスなどの金属製としている場合もある。図３は従来の一般的なコップを表しているが、円形をした底部（イ）の周囲から側部（ロ）が立ち上がって上端が開口した筒状と成っており、そして側部（ロ）は上側外径が大きく成るように傾斜している。
【０００３】
側部（ロ）が傾斜しないで底部（イ）に対して垂直に起立した円筒状をしたコップもあるが、同図に示すように側部（ロ）が傾斜していることで、収容している飲料水を飲み易くなる。一方、不使用時には積み重ねて食器棚に収容されるが、側部（ロ）が傾斜した形態とすることで、上側のコップはその下端部が内部空間に嵌って安定して積み重ねすることが出来る。また、積み重ね高さは低く成るといった利点がある。これに対して、同一外径で完全な円筒形コップでは、上側コップの底部が下側コップの上端に載って積み重ねることが出来るが安定せず、しかも積み重ね高さは高くなってしまう。
【０００４】
図３は２つのコップを積み重ねた場合を示している。このように、上側のコップは下側コップの内部空間（ハ）に嵌り込んで積み重ねられるが、その為に上側コップの側部外周面（ニ）は下側コップの側部内周面（ホ）に密着する。時には食い込んでしまい、分離しにくくなる場合もあり、その結果、側部（ロ）の外周面（ニ）及び内周面（ホ）には細かいキズが発生する。時には、上側コップが食い込み過ぎて下側コップの側部が割れることもある。
【０００５】
特に、硬度が低いプラスチック製のコップは、側部（ロ）の外周面（ニ）及び内周面（ホ）に発生する細かいキズにより、透明なプラスチック製コップはくすんでしまう。ところで、従来において複数のコップを積み重ねた場合に側部の内周面及び外周面にキズが発生しないような形態としたコップは知られている。
【０００６】
特開２０１０−３５９７２号に係る「コップ」は、２つ以上のコップを重ねたときに、それぞれの外壁が接触するのを防止して、外壁にキズが付いたり、外壁が割れたりするのを防止する。
コップは、円板状の底部と、底部の外側の周縁部から立ち上がる外壁と、底部の内側の周縁部から立ち上がる係合突起とを備えている。外壁は上部に位置する部分ほど広がる円錐台状の筒状に形成され、係合突起は上部に位置する部分ほど縮まる円錐台状の筒状に形成されている。係合突起の肉厚は、底部の肉厚よりも薄く、外壁の肉厚よりも厚く設定されている。係合突起の傾斜角度は、外壁の傾斜角度よりも大きく設定されている。このため、２つのコップを、それぞれの係合突起を係合させることで上下に重ねたときに、それぞれの外壁の間にギャップが形成されて両者は接触しないようになる。
【０００７】
特開２００７−１９５７８５号に係る「コップ」は、サンドブラストやレーザーによりコップに加傷することなく、ビール等を注いだ際に豊かな泡立ちを生じさせるコップである。
そこで、筆もしくは刷毛のいずれかにより、コップの内底面側から開口部側に向けて略同心円状の環もしくは略らせん状の帯を成して該コップの内表面の一部に熱硬化樹脂であるポリウレタン樹脂を塗布することにより樹脂膜層を形成し、樹脂膜層の層厚を１〜５０μｍとすると共に、樹脂膜層に細孔を発達させ、細孔径１〜５０μｍの細孔を１ｍｍ2当たり５００〜２００００個存在するものとしている。
【特許文献１】特開２０１０−３５９７２号に係る「コップ」
【特許文献２】特開２００７−１９５７８５号に係る「コップ」
【考案の開示】
【考案が解決しようとする課題】
【０００８】
このように、複数のコップを積み重ねた場合に、側部の外周面及び内周面にキズが付かないようにしたコップは存在している。本考案に係るコップも同じくキズの発生を防止するもので目的は同じであるが、より簡単でその形態を異にしたコップを提供する。
【課題を解決するための手段】
【０００９】
本考案に係るコップは、円形の底部外周に側部が起立する筒状を成し、側部は上側の外径が大きく成るように傾斜している。すなわち、基本的な形態は前記図３に示すようなコップであり、その為に、上側のコップは下側コップの内部空間に嵌って積み重ねることが出来るように成っている。材質に関しては一般にプラスチック製であるが限定はしない。
【００１０】
ところで、本考案のコップは、側部の内周面に支えとなる凸片を突出している。凸片は少なくとも３か所に設けられ、各凸片間ピッチは等しく成っている。この凸片は上側のコップが内部空間に嵌った場合に底部が当たる位置に設けられ、そして、側部外周面が下側コップの側部内周面に接することがない位置としている。ただし、この凸片は上側コップの底部が載る支えの１形態であり、具体的な形状は限定しない。
【考案の効果】
【００１１】
本考案に係るコップは側部は上側外径が大きく成るように傾斜した筒状を有し、その為に複数のコップは下側コップの内部空間に嵌って積み重ねることが出来る。そして、側部内周面には支えとなる凸片を複数個所にバランスよく突出し、その為に内部空間に嵌る上側コップの底部は上記凸片に載って支持される。従って、上側コップの側部外周面が下側コップの側部内周面に接することはなく、側部外周面及び内周面にキズが発生することはない。その為に、何時までも透明性の高いコップが維持される。勿論、上側コップが下側コップに強く嵌り込んで側部が割れるといったことも無くなる。
【図面の簡単な説明】
【００１２】
【図１】本考案に係るコップを示す実施例で、（ａ）は平面図、（ｂ）は（ａ）のＡ−Ａ断面図。
【図２】２つのコップを積み重ねた場合の実施例。
【図３】従来の一般的なコップ。
【図４】従来の２つのコップを積み重ねた場合。
【考案を実施するための形態】
【００１３】
図１は本考案に係るコップを表す実施例であり、同図の１は底部、２は側部を示し、側部２は底部１の外周に傾斜して起立した筒状を成している。側部２で囲まれた内部空間３は上側内径が大きくなり、その為に上側コップは下側コップの内部空間３に嵌って積み重ねることが出来る。そして、該コップはその材質を問わないが、一般にはプラスチック製とし、射出成形される。
【００１４】
そして、側部２の内周面４の底部側には３か所に凸片５，５・・・が形成され、凸片５，５・・・は内周面４から突出している。この凸片５，５・・・は内部空間３に嵌った上側コップの支えと成り、上側コップの底部１が載置される。そして、凸片５，５・・・が無い場合には、内部空間３に上側コップが嵌るならば、側部外周面６は下側コップの側部内周面４に接することになるが、底部１が凸片５，５・・・に載ることで外周面６が内周面４に接することはない。
【００１５】
図２は２つのコップを積み重ねた場合を示している。上側コップＢは下側コップＡの内部空間３に嵌って積み重ねられ、上側コップＢの底部１は下側コップＡの側部内周面４に突出した凸片５，５・・・に載っている。そして、下側コップＡの側部内周面４と上側コップＢの側部外周面６との間には僅かな隙間７を形成している。すなわち、上記外周面６と内周面４が接しないように凸片５，５・・・に載って支持される。
【００１６】
ところで、側部２の内周面４に形成して上側コップＢが載る支えは上記凸片５，５・・・に限定するものではない。プラスチックを材料としてコップを射出成形するのであれば、側部２の内周面４に形成する凸片５，５・・・は、細長くて底部１まで延びる形状の方が好ましい。しかし、単に上側コップＢを支える為の凸片５，５・・・であれば、その形状を半球状としてもよい。
【００１７】
また、側部内周面４の全周に亘って形成するリング状の支えを形成することも可能である。ただし、コップに入れた飲料水を飲む際に、全周に連続したリングを形成する場合、飲料水がリング状支えに遮られないような（スムーズに流れるような）断面形状としなくてはならない。
【符号の説明】
【００１８】
Ａ   下側コップ
Ｂ   上側コップ
１   底部
２   側部
３   内部空間
４   内周面
５   凸片
６   外周面
７   隙間
【図１】
0003183841.tif 000003
【図２】
0003183841.tif 000004
【図３】
0003183841.tif 000005
【図４】
0003183841.tif 000006